(57)【要約】      （修正有）【課題】標的の後方にコンパクトに設置でき、また、鉛弾頭のみを容易に回収して処理処分できる、弾頭回収器を提供する。【解決手段】前面に鉛弾頭３の進入口が設けられた進入部２０と、内部に鉛弾頭３を回収する横向き円筒状の回収ドラム部３０を上下に備え、進入部２０と回収ドラム部３０の後方に、進入部２０内に進入した鉛弾頭３を下方に案内して回収ドラム部３０の回収口３１に向けて反転させる反転案内部４０を備える構成とする。【選択図】図５
0003221135.tif 000002
【実用新案登録請求の範囲】
【請求項１】
固定された標的を通過直後の鉛弾頭を回収する弾頭回収器であって、
前面に鉛弾頭の進入口が設けられた進入部と、内部に鉛弾頭を回収する横向き円筒状の回収ドラム部を上下に備え、進入部と回収ドラム部の後方に、進入部内に進入した鉛弾頭を下方に案内して回収ドラム部の回収口に向けて反転させる反転案内部を備えることを特徴とする弾頭回収器。
【請求項２】
進入部が、進入口側で広く反転案内部側で狭くなる断面ラッパ形状をしていることを特徴とする、請求項１記載の弾頭回収器。
【請求項３】
回収ドラム部が、回収口から回収された鉛弾頭が回収ドラム内を水平軸回りに旋回して落下可能な断面円筒形状をしていることを特徴とする、請求項１または請求項２記載の弾頭回収器。
【請求項４】
進入部の前面の進入口に、中央部に開口部を備える木質板材が取り付けられ、その下方に木質板材からなる跳弾防止材が取り付けられていることを特徴とする、請求項１ないし請求項３のいずれか一項に記載の弾頭回収器。
【請求項５】
回収ドラム部の側面に排出用の扉を備えることを特徴とする、請求項１ないし請求項４のいずれか一項に記載の弾頭回収器。
【考案の詳細な説明】
【技術分野】
【０００１】
本考案は、射撃競技等において鉛弾頭を回収する弾頭回収器に関するものである。
【背景技術】
【０００２】
ライフル射撃競技では、２２ロングライフルの弾薬を使用する競技が盛んである。２２ロングライフルとは口径５．６ｍｍの鉛弾であり、音速に近いスピードで５０ｍ先の標的を撃ち抜き、バックストップ（弾頭が止まる箇所）に着弾する。バックストップは跳弾が出ない柔らかい土壌であることが好ましいが、定期的に鉛を含んだ汚染土壌を排出して交換する必要があり、その排出された土壌自体も処理が難しい。
【０００３】
また、射撃場によっては、角度を付けた鉄板を跳弾防止材として設置しているところがあるが、跳弾防止を施した鉄板のみでは、着弾した弾頭が細かく砕けて飛び散ることになり、汚染防止だけでなく、標的を裏側から損壊することになる。また、国民体育大会などの大きな競技大会では瞬時に点数が表示される高価な電子標的が使用されるので、弾頭の破片が飛散することは許されない。
【０００４】
鉛公害防止のため、従来より、標的通過後の弾頭を回収する装置が提案されている（特許文献１）。また、樹脂製の板を通過させて減速し装置内に充填した樹脂粒で停止させる装置が市販されている。
【先行技術文献】
【特許文献】
【０００５】
【特許文献１】特開２００３−１４４００号公報
【考案の概要】
【考案が解決しようとする課題】
【０００６】
しかしながら、特許文献１の回収装置は、弾頭を縦向きの円筒状パイプの中で水平方向に旋回させて減速させ、下方に設けられた弾入れ部に落下させる構成であり、幅方向および縦方向にサイズが大型化し、標的の後方に設置しにくいという課題があった。また、上記市販の装置は、装置内に鉛弾頭を回収後、鉛弾頭の処理処分には鉛弾頭を樹脂粒から分別して取り出す作業が生じるという課題があった。
【０００７】
本考案は上記課題に鑑みてなされたもので、標的の後方にコンパクトに設置でき、また、鉛弾頭のみを容易に回収し処理処分することができる、弾頭回収器を提供することを目的とする。
【課題を解決するための手段】
【０００８】
上記課題を解決するために、本考案に係る弾頭回収器は、
固定された標的を通過直後の鉛弾頭を回収する弾頭回収器であって、
前面に鉛弾頭の進入口が設けられた進入部と、内部に鉛弾頭を回収する横向き円筒状の回収ドラム部を上下に備え、進入部と回収ドラム部の後方に、進入部内に進入した鉛弾頭を下方に案内して回収ドラム部の回収口に向けて反転させる反転案内部を備えることを主要な特徴とする。
【０００９】
本考案に係る弾頭回収器は、
進入部が、進入口側で広く反転案内部側で狭くなる断面ラッパ形状をしていることを第２の特徴とする。
【００１０】
本考案に係る弾頭回収器は、
回収ドラム部が、回収口から回収された鉛弾頭が回収ドラム内を水平軸回りに旋回して落下可能な断面円筒形状をしていることを第３の特徴とする。
【００１１】
本考案に係る弾頭回収器は、
進入部の前面の進入口に、中央部に開口部を備える木質板材が取り付けられ、その下方に木質板材からなる跳弾防止材が取り付けられていることを第４の特徴とする。
【００１２】
本考案に係る弾頭回収器は、
回収ドラム部の側面に排出用の扉を備えることを第５の特徴とする。
【考案の効果】
【００１３】
以上説明したように、本考案に係る弾頭回収器によると、前面に鉛弾頭の進入口が設けられた進入部と、内部に鉛弾頭を回収する横向き円筒状の回収ドラム部を上下に備え、進入部と回収ドラム部の後方に、進入部内に進入した鉛弾頭を下方に案内して回収ドラム部の回収口に向けて反転させる反転案内部を備える構成としたから、同回収器を標的の後方にコンパクトに設置することができ、また、鉛弾頭のみを容易に回収して処理処分できるという優れた効果を奏する。
【図面の簡単な説明】
【００１４】
【図１】本考案に係る弾頭回収器を示す斜視図、
【図２】図１に示す弾頭回収器の断面図、
【図３】図１に示す弾頭回収器の正面図、
【図４】図１に示す弾頭回収器の側面図、
【図５】図１に示す弾頭回収器の作用を説明する説明図、
【図６】図１に示す弾頭回収器を跳弾防止材の直下空間に設置した図である。
【考案を実施するための最良の形態】
【００１５】
本考案を実施するための一実施形態を図１ないし図６を参照して説明する。図１および図２において、符号Ｓは弾頭回収器を示している。
【００１６】
図１に示す弾頭回収器Ｓは、射撃手が標的を撃ち抜いた直後の鉛弾頭を回収するもので、２２口径ロングライフル専用に使用される。図１および図３、図４に示すように、全体がコンパクトな外形をしている。同回収器Ｓは、左右の側板１１と、前板１２、天板１３および背板１４と、四隅の支柱１５から、外形が構成されている。
【００１７】
また、同回収器Ｓは、左右の側板１１，１１の内側に、図２に示すように、鉛弾頭３（図５参照）の進入部２０を上部に、回収ドラム部３０を下部に、反転案内部４０を後部に、それぞれ備えている。
【００１８】
進入部２０は、前面に、２２口径ロングライフルの鉛弾頭の進入口２１が設けられている。進入部２０は、左右の側板１１と天板１３と底板１６から構成されている。進入口２１には、中央部に円形の開口部２２を備える木質板材２３（厚さ１５ｍｍ）が取り付けられている。かかる進入部２０は、図２に示すように、縦断面視して、進入口２１側が広く反転案内部３０側が狭くなるような断面ラッパ形状をしている。
【００１９】
回収ドラム部３０は、横向きの円筒形状をしており、図２に示すように、回収口３１を備えている。回収ドラム部３０は、左右の側板１１と、円弧状の背板１４から内巻き状に延び、底板１６の下面、補助案内板１７の下面を通り最後に端部が下向きとなって回収口３１に達する内巻き案内板１８から構成されている。内巻き案内板１８の先端部分は、図２に示すように、補助案内板１７と共に、反転案内部４０の一部を構成している。
【００２０】
反転案内部４０は、進入部２０内に水平に進入した鉛弾頭３を下方に円滑に案内し回収ドラム部３０の回収口３１に向け反転させる部分で、反転案内部４０は、左右の側板１１と、天板１３から続く円弧状の背板１４と、補助案内板１７から構成されている。かかる反転案内部４０は、縦断面視して、進入部２０から回収ドラム部３０に向けて滑らかな円弧形状の内面を有している。
【００２１】
側板１１には、図１および図４に示すように、回収ドラム部３０内に回収された鉛弾頭の排出用の扉３２が取り付けられている。扉３２はラッチ３３により開かないように固定できる。
【００２２】
前板１２は、跳弾防止材としての役目を果たすもので、木質板材（厚さ３０ｍｍの杉板）からなり、床面Ｆに対して垂直になるように開口部２２の下方に取り付けられている。
【００２３】
次に上記のように構成された弾頭回収器Ｓの使用方法と作用について、図５および図６等を参照しながら以下に述べる。
【００２４】
まず、弾頭回収器Ｓを標的の後方に設置する。図５および図６に示すように、標的１の後方に鉄板製の跳弾防止材２が設置されている場合、跳弾防止材２の直下に収まるように設置することができる。
【００２５】
射撃手が所定の姿勢で標的１に向けて２２口径ロングライフル弾を射撃すると、図５に示すように、標的１を通過した鉛弾頭３は、前面の木質板材２３の開口部２２から進入部２０に水平方向に進入し、斜め下向きに傾斜する天板１３の内面に当接して進行方向を斜め下向きに変え、反転案内部４０に進入する。
【００２６】
反転案内部４０に進入した鉛弾頭３は、同図に示すように、補助案内板１７と円弧状の背板１４の内面に沿って回収ドラム部３０の回収口３１に向け反転し、回収口３１から回収ドラム部３０内に入り、回収ドラム３０の内巻き案内板１８の内面に沿って減速しながら水平軸回りに一周し、回収ドラム部３０内に落下して回収される。
【００２７】
このようにして、競技終了後に多数の鉛弾頭３を回収したら、図４に示すラッチ３３を解除して、扉３２を開き、内部の多数の鉛弾頭３を取り出し、処理処分する。
【００２８】
標的１を通過した鉛弾頭３は、多くは前面の木質板材２３の開口部２２から進入部２０に進入するが、開口部２２から外れる場合がある。かかる場合も、木質板材２３を板厚方向に通過して進入口２１から進入部２０に進入するので、回収ドラム部３０に回収することができる。
【００２９】
本実施形態の弾頭回収器Ｓにおいて、前面の木質板材２３には桐板が好適であるが、材質はこれに限られない。鉛弾頭を通しやすい柔らかい材質、例えばパルサ材、マツ材、スギ材なども使用可能である。
【００３０】
本実施形態の弾頭回収器Ｓによると、以下のような効果を奏する。
【００３１】
（１）回収器の高さおよび奥行きをコンパクト化できるので、図６に示すように、標的１の後方に設置された斜め向きの鉄板製の跳弾防止材２の直下のスペースに収まるように設置することができる。
【００３２】
（２）回収器の進入口２１から進入した２２口径ロングライフルの鉛弾頭は、図５に示すように、反転案内部４０を通り、回収ドラム部３０を一周して落下する構造であるので、鉛弾頭を容易かつ確実に、また、安全に回収することができる。
【００３３】
（３）回収器は、部材の少ないシンプルな構造であり、耐久性に優れ、また、製作費用の低廉化を図ることができる。
【００３４】
かくして、本考案に係る弾頭回収器によれば、標的の後方にコンパクトに設置でき、また、鉛弾頭のみを容易にかつ安全に回収し処理処分することができる。
【産業上の利用可能性】
【００３５】
本考案に係る弾頭回収器は、特に２２口径ロングライフルの鉛弾頭の回収器として、ライフル射撃場等の射撃場、練習場等に設置して広く利用できる。
【符号の説明】
【００３６】
１  標的
２  跳弾防止材
３  鉛弾頭
１１  側板
１２  前板
１３  天板
１４  背板
１５  支柱
１６  底板
１７  補助案内板
１８  内巻き案内板
２０  進入部
２１  進入口
２２  開口部
２３  木質板材
３０  回収ドラム部
３１  回収口
３２  扉
３３  ラッチ
４０  反転案内部
Ｆ  床面
Ｓ  弾頭回収器
【図１】
0003221135.tif 000003
【図２】
0003221135.tif 000004
【図３】
0003221135.tif 000005
【図４】
0003221135.tif 000006
【図５】
0003221135.tif 000007
【図６】
0003221135.tif 000008